(57)【特許請求の範囲】
【請求項１】
ユーザ機器（ＵＥ）によるワイヤレス通信の方法において、
アップリンク同期化のために指定された、物理ランダムアクセスチャネル（ＰＲＡＣＨ）期間内で割り振られたリソースのセットを決定することと、
デバイスとのアップリンク同期化を可能にするために、前記決定した割り振られたリソースのセット中でパイロット信号の第１のセットおよび第２のセットを前記デバイスに送信することとを含み、
前記ＰＲＡＣＨ期間はスロットのセットを含み、
前記スロットのセットの各スロットは、シンボルのセットを含み、
前記割り振られたリソースのセットを決定することは、
前記パイロット信号を送信するために、前記ＰＲＡＣＨ期間内のシンボルの第１のセットとシンボルの第２のセットとを決定し、前記シンボルの第１のセットは前記シンボルの第２のセットとは異なることと、
パイロット信号の第１のセットを送信するために、前記シンボルの第１のセット内のトーンインデックスの第１のセットを決定することと、
パイロット信号の第２のセットを送信するために、前記シンボルの第２のセット内のトーンインデックスの第２のセットを決定することとを含み、
前記トーンインデックスの第２のセットは、前記トーンインデックスの第１のセットからのオフセット値に基づいて決定される方法。
【請求項２】
シンボルの各セット中の各シンボルは、トーンのセットを含む請求項１記載の方法。
【請求項３】
前記割り振られたリソースのセットを決定することは、前記パイロット信号の第１のセットおよび第２のセットを送信するために、前記ＰＲＡＣＨ期間中における前記スロットのサブセット中の各スロット内のシンボルのサブセットを決定することをさらに含み、
前記各スロット内のシンボルのサブセットは、２より大きいか、または、等しい請求項１記載の方法。
【請求項４】
前記パイロット信号の第１のセットは、少なくとも２つのパイロット信号を有し、前記パイロット信号の第２のセットは、少なくとも２つのパイロット信号を有する請求項１記載の方法。
【請求項５】
前記決定した割り振られたリソースのセット中で情報を送信することをさらに含み、
前記情報は、識別子、制御情報、または、パス損失報告のうちの少なくとも１つを含む請求項１記載の方法。
【請求項６】
前記割り振られたリソースのセットを決定することは、
パイロット信号を送信する前記ＰＲＡＣＨ期間内の少なくともシンボルの第３のセットを決定し、前記シンボルの第３のセットは前記シンボルの第１のセットと前記第２のセットとは異なることと、
パイロット信号の第３のセットを送信するために、前記シンボルの第３のセット内の少なくともトーンインデックスの第３のセットを決定することと、
前記決定した割り振られたリソースのセット中で前記パイロット信号の第３のセットを前記デバイスに送信することとをさらに含み、
前記トーンインデックスの第３のセットは、前記トーンインデックスの第２のセットからの第２のオフセット値に基づいて決定される請求項１記載の方法。
【請求項７】
前記第２のオフセット値は、前記オフセット値と同じであるか、または、異なる請求項６記載の方法。
【請求項８】
前記オフセット値と前記第２のオフセット値は、１より大きいか、または、等しい値を有している請求項６記載の方法。
【請求項９】
パイロット信号のみが、前記シンボルのセット中で送信され、または、情報信号およびパイロット信号が、前記シンボルのセット中で送信される請求項１記載の方法。
【請求項１０】
ワイヤレス通信のための装置において、
メモリと、
前記メモリに結合されている少なくとも１つのプロセッサとを具備し、
前記少なくとも１つのプロセッサは、
アップリンク同期化のために指定された、物理ランダムアクセスチャネル（ＰＲＡＣＨ）期間内で割り振られたリソースのセットを決定するようにと、
デバイスとのアップリンク同期化を可能にするために、前記決定した割り振られたリソースのセット中でパイロット信号の第１のセットおよび第２のセットを前記デバイスに送信するように構成され、
前記ＰＲＡＣＨ期間はスロットのセットを含み、
前記スロットのセットの各スロットは、シンボルのセットを含み、
前記少なくとも１つのプロセッサは、
前記パイロット信号を送信するために、前記ＰＲＡＣＨ期間内のシンボルの第１のセットとシンボルの第２のセットを決定し、前記シンボルの第１のセットは前記シンボルの第２のセットとは異なることと、
パイロット信号の第１のセットを送信するために、前記シンボルの第１のセット内のトーンインデックスの第１のセットを決定することと、
パイロット信号の第２のセットを送信するために、前記シンボルの第２のセット内のトーンインデックスの第２のセットを決定することとによって、前記割り振られたリソースのセットを決定するように構成され、
前記トーンインデックスの第２のセットは、前記トーンインデックスの第１のセットからのオフセット値に基づいて決定される装置。
【請求項１１】
シンボルの各セット中の各シンボルは、トーンのセットを含む請求項１０記載の装置。
【請求項１２】
前記少なくとも１つのプロセッサは、
前記パイロット信号の第１のセットおよび第２のセットを送信するために、前記ＰＲＡＣＨ期間中における前記スロットのサブセット中の各スロット内のシンボルのサブセットを決定することによって、前記割り振られたリソースのセットを決定するように構成され、
前記各スロット内のシンボルのサブセットは、２より大きいか、または、等しい請求項１０記載の装置。
【請求項１３】
前記パイロット信号の第１のセットは、少なくとも２つのパイロット信号を有し、前記パイロット信号の第２のセットは、少なくとも２つのパイロット信号を有する請求項１０記載の装置。
【請求項１４】
前記少なくとも１つのプロセッサは、
前記決定した割り振られたリソースのセット中で情報を送信するようにさらに構成され、
前記情報は、識別子、制御情報、または、パス損失報告のうちの少なくとも１つを含む請求項１０記載の装置。
【発明の詳細な説明】
【関連出願の相互参照】
【０００１】
［０００１］
本願は、「ＳＣ−ＦＤＭＡにおけるプリアンブルのないアップリンク同期化」と題され、２０１４年１０月９日に出願された米国仮出願シリアル番号第６２／０６２，１０６号と、「ＳＣ−ＦＤＭＡにおけるプリアンブルのないアップリンク同期化」と題され、２０１４年１１月１４日に出願された米国特許出願番号第１４／５４２，４７０号の利益を主張し、そのすべてがここに参照によって明確に組み込まれている。
【分野】
【０００２】
［０００２］
本開示は、一般的に通信システムに関連し、より具体的には、単一搬送波（ＳＣ）周波数分割多元接続（ＦＤＭＡ）（ＳＣ−ＦＤＭＡ）におけるプリアンブルのないアップリンク同期化を実行することに関連する。
【背景】
【０００３】
［０００３］
ワイヤレス通信システムは、電話、ビデオ、データ、メッセージング、および、ブロードキャストのような、さまざまな電気通信サービスを提供するように、広く配備されている。典型的なワイヤレス通信システムは、利用可能なシステムリソース（例えば、帯域幅、送信電力）を共有することにより、複数のユーザとの通信をサポートすることが可能な多元接続技術を用いてもよい。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および時分割同期コード分割多元接続（ＴＤ−ＳＣＤＭＡ）システムを含む。
【０００４】
［０００４］
自治体レベルで、国レベルで、地域レベルで、および、グローバルレベルでさえ、異なるワイヤレスデバイスが通信できるようにする共通のプロトコルを提供するために、これらの多元接続技術はさまざまな電気通信標準規格で採用されている。新興の電気通信標準規格の例は、ロングタームエボリューション（ＬＴＥ（登録商標））である。ＬＴＥは、第３世代パートナーシッププロジェクト（３ＧＰＰ（登録商標））によって公表されたユニバーサル移動体電気通信システム（ＵＭＴＳ）の移動体標準規格の拡張セットである。ＬＴＥは、ダウンリンク（ＤＬ）上ではＯＦＤＭＡを使用し、アップリンク（ＵＬ）上ではＳＣ−ＦＤＭＡを使用し、複数入力複数出力（ＭＩＭＯ）アンテナ技術を使用して、スペクトル効率を改善することと、コストを下げることと、サービスを改善することと、新たなスペクトルを使用することと、および、他のオープン標準規格とより良く統合することとによって、移動体ブロードバンドインターネットアクセスをより良くサポートするように設計されている。しかしながら、移動体ブロードバンドアクセスに対する需要が増加し続けるにつれて、ＬＴＥ技術におけるさらなる改善の必要性が存在する。これらの改善は、他の多元接続技術およびこれらの技術を用いる電気通信標準規格に適用可能であるべきであることが好ましい。
【概要】
【０００５】
［０００５］
本開示の態様において、方法、コンピュータプログラムプロダクト、および、装置が提供される。装置は、ＵＥであってもよい。装置は、物理ランダムアクセスチャネル（ＰＲＡＣＨ）期間内で割り振られたリソースのセットを決定する。装置は、決定した割り振られたリソースのセット中でパイロット信号を送信する。
【０００６】
［０００６］
本開示の別の態様は、ＰＲＡＣＨ期間内で割り振られたリソースのセットを決定する手段を含むワイヤレス通信のための装置を提供する。装置は、決定した割り振られたリソースのセット中でパイロット信号を送信する手段を含んでいる。ＰＲＡＣＨ期間はスロットのセットを有し、スロットのセット中の各スロットは、セットシンボルを含み、シンボルの各セット中の各シンボルは、トーンのセットを含む。割り振られたリソースのセットを決定する手段は、パイロット信号を送信するために、ＰＲＡＣＨ期間におけるスロットのセット内のスロットのサブセットを決定するようにと、パイロット信号の第１のセットを送信するために、偶数のインデックス付けされたスロットのセット中のトーンインデックスの第１のセットを決定するようにと、パイロット信号の第２のセットを送信するために、奇数のインデックス付けされたスロットのセット中のトーンインデックスの第２のセットを決定するように構成され、スロットのサブセットは、偶数のインデックス付けされたスロットのセットと奇数のインデックス付けされたスロットのセットとを含み、トーンインデックスの第２のセットは、トーンインデックスの第１のセットとオフセット値とに基づいている。割り振られたリソースのセットを決定する手段は、パイロット信号を送信するために、ＰＲＡＣＨ期間におけるスロットのサブセット中の各スロット内のシンボルのサブセットを決定するように構成され、各スロット内のシンボルのサブセットは、２より大きいか、または、等しい。パイロット信号の第１のセットは、少なくとも２個のパイロット信号を有し、パイロット信号の第２のセットは、少なくとも２個のパイロット信号を有する。装置は、決定した割り振られたリソースのセット中で情報を送信する手段をさらに含み、情報は、識別子、制御情報、または、パス損失報告のうちの少なくとも１つを含む。
【０００７】
［０００７］
本開示の別の態様は、コンピュータ読取可能媒体上に記憶されているコンピュータプログラムプロダクトを提供し、コンピュータプログラムプロダクトは、少なくとも１つのプロセッサ上で実行されるときに、少なくとも１つのプロセッサに、ＰＲＡＣＨ期間内で割り振られたリソースのセットを決定させ、決定した割り振られたリソースのセット中でパイロット信号を送信させるためのコードを含む。ＰＲＡＣＨ期間はスロットのセットを有し、スロットのセット中の各スロットは、セットシンボルを含み、シンボルの各セット中の各シンボルは、トーンのセットを含む。割り振られたリソースのセットを決定することは、パイロット信号を送信するために、ＰＲＡＣＨ期間におけるスロットのセット内のスロットのサブセットを決定することと、パイロット信号の第１のセットを送信するために、偶数のインデックス付けされたスロットのセット中のトーンインデックスの第１のセットを決定することと、パイロット信号の第２のセットを送信するために、奇数のインデックス付けされたスロットのセット中のトーンインデックスの第２のセットを決定することとを含み、スロットのサブセットは、偶数のインデックス付けされたスロットのセットと奇数のインデックス付けされたスロットのセットとを含み、トーンインデックスの第２のセットは、トーンインデックスの第１のセットとオフセット値とに基づいている。割り振られたリソースのセットを決定することは、パイロット信号を送信するために、ＰＲＡＣＨ期間中におけるスロットのサブセット中の各スロット内のシンボルのサブセットを決定することをさらに含み、各スロット内のシンボルのサブセットは、２より大きいか、または、等しい。パイロット信号の第１のセットは、少なくとも２個のパイロット信号を有し、パイロット信号の第２のセットは、少なくとも２個のパイロット信号を有する。コンピュータプログラムプロダクトは、少なくとも１つのプロセッサ上で実行されるときに、少なくとも１つのプロセッサに、決定した割り振られたリソースのセット中で情報を送信させるためのコードをさらに含む。情報は、識別子、制御情報、または、パス損失報告のうちの少なくとも１つを含む。
【０００８】
［０００８］
本開示の別の態様は、方法、コンピュータプログラムプロダクト、および装置を提供する。装置は、ワイヤレスデバイス（例えば、基地局）であってもよい。装置は、ユーザ機器（ＵＥ）からのデータ送信を受信する。装置は、受信したデータ送信に基づいて、チャネル位相オフセットを決定する。装置は、決定したチャネル位相オフセットに基づいて、タイミングオフセットを決定する。装置は、肯定応答メッセージをＵＥに送信する。肯定応答メッセージは、決定したタイミングオフセットを含む。
【０００９】
［０００９］
本開示の別の態様は、ＵＥからのデータ送信を受信する手段と、受信したデータ送信に基づいて、チャネル位相オフセットを決定する手段と、決定したチャネル位相オフセットに基づいて、タイミングオフセットを決定する手段と、肯定応答メッセージをＵＥに送信する手段とを含む、ワイヤレス通信のための装置を提供する。肯定応答メッセージは、決定したタイミングオフセットを含む。データ送信は、ＰＲＡＣＨ期間内で割り振られたリソースのセット中で受信される。データ送信はパイロット信号を含み、パイロット信号は、トーンインデックスの第１のセットとトーンインデックスの第２のセット中で受信され、トーンインデックスの第１のセットは、ＰＲＡＣＨ期間の偶数のインデックス付けされたスロットのセットに関係付けられ、トーンインデックスの第２のセットは、ＰＲＡＣＨ期間の奇数のインデックス付けされたスロットのセットに関係付けられる。トーンインデックスの第２のセットは、トーンインデックスの第１のセットとオフセット値とに基づいている。データ送信は、識別子、制御情報、または、パス損失報告のうちの少なくとも１つをさらに含む。チャネル位相オフセットを決定する手段は、受信したデータ送信に基づいて、第１のチャネル位相オフセットを決定するようにと、受信したデータ送信に基づいて、第２のチャネル位相オフセットを決定するように構成され、タイミングオフセットを決定する手段は、第１のチャネル位相オフセットと第２のチャネル位相オフセットとに基づいて、タイミングオフセットを決定するように構成されている。
【００１０】
［００１０］
本開示の別の態様は、コンピュータ読み取り可能媒体上に記憶されているコンピュータプログラムプロダクトを提供する。コンピュータプログラムプロダクトは、少なくとも１つのプロセッサ上で実行されたときに、少なくとも１つのプロセッサに、ＵＥからのデータ送信を受信させるためのコードと、受信したデータ送信に基づいて、チャネル位相オフセットを決定させるためのコードと、決定したチャネル位相オフセットに基づいて、タイミングオフセットを決定させるためのコードと、肯定応答メッセージをＵＥに送信させるためのコードとを含む。肯定応答メッセージは、決定したタイミングオフセットを含む。データ送信は、ＰＲＡＣＨ期間内で割り振られたリソースのセット中で受信される。データ送信はパイロット信号を含み、パイロット信号は、トーンインデックスの第１のセットとトーンインデックスの第２のセット中で受信され、トーンインデックスの第１のセットは、ＰＲＡＣＨ期間の偶数のインデックス付けされたスロットのセットに関係付けられ、トーンインデックスの第２のセットは、ＰＲＡＣＨ期間の奇数のインデックス付けされたスロットのセットに関係付けられる。トーンインデックスの第２のセットは、トーンインデックスの第１のセットとオフセット値とに基づいている。データ送信は、識別子、制御情報、または、パス損失報告のうちの少なくとも１つをさらに含む。チャネル位相オフセットを決定することは、受信したデータ送信に基づいて、第１のチャネル位相オフセットを決定することと、受信したデータ送信に基づいて、第２のチャネル位相オフセットを決定することとを含む。タイミングオフセットを決定することは、第１のチャネル位相オフセットと第２のチャネル位相オフセットとに基づいて、タイミングオフセットを決定することを含む。
【図面の簡単な説明】
【００１１】
【図１】［００１１］  図１は、ワイヤレス通信システムのダイヤグラムである。
【図２】［００１２］  図２は、ＰＲＡＣＨ期間のダイヤグラムとＳＣ−ＦＤＭＡにおけるアップリンク同期化のためにＰＲＡＣＨ期間を利用するための方法のダイヤグラムとを図示している。
【図３】［００１３］  図３は、物理ＰＲＡＣＨチャネルマッピングのダイヤグラムである。
【図４】［００１４］  図４は、プリアンブルを使用することのないアップリンク同期化のためのワイヤレス通信の方法のフローチャートである。
【図５】［００１５］  図５は、プリアンブルを使用することのないアップリンク同期化におけるタイミングアドバンスを決定するためのワイヤレス通信の方法のフローチャートである。
【図６】［００１６］  図６は、例示的な装置における、異なるモジュール／手段／コンポーネント間のデータフローを図示した、概念的なデータフローダイヤグラムである。
【図７】［００１７］  図７は、処理システムを用いる装置のためのハードウェアインプリメンテーションの例を図示したダイヤグラムである。
【図８】［００１８］  図８は、例示的な装置における、異なるモジュール／手段／コンポーネント間のデータフローを図示した、概念的なデータフローダイヤグラムである。
【図９】［００１９］  図９は、処理システムを用いる装置のためのハードウェアインプリメンテーションの例を図示したダイヤグラムである。
【詳細な説明】
【００１２】
［００２０］
添付の図面に関連して以下で述べる詳細な説明は、さまざまなコンフィギュレーションの説明として意図されており、ここで説明する概念を実行できるコンフィギュレーションを表すようには意図されていない。詳細な説明は、さまざまな概念の完全な理解を提供する目的で、特定の詳細を含む。しかしながら、これらの概念がこれらの特定の詳細なしに実施できることが当業者にとって明らかであろう。いくつかの実例において、よく知られている構造およびコンポーネントは、このような概念を曖昧にすることを避けるためにブロックダイヤグラムで示されている。
【００１３】
［００２１］
さまざまな装置および方法を参照して、電気通信システムのいくつかの態様を、これから提示する。これらの装置および方法は、以下の詳細な説明において説明され、添付の図面において、さまざまなブロック、モジュール、コンポーネント、回路、ステップ、プロセス、アルゴリズム、等（総称して「要素」と呼ばれる）によって図示される。これらの要素は、電子ハードウェア、コンピュータソフトウェア、または、これらの任意の組み合わせを使用して、実現してもよい。このような要素が、ハードウェアとして実現されるか、または、ソフトウェアとして実現されるかは、特定のアプリケーションおよびシステム全体に課せられる設計制約に依存する。
【００１４】
［００２２］
例として、要素、または、要素の任意の一部、または、要素の任意の組み合わせを、１つ以上のプロセッサを含む「処理システム」により実現してもよい。プロセッサの例は、マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、状態機械、ゲート論理、ディスクリートハードウェア回路、および、本開示全体を通じて説明するさまざまな機能を実行するように構成されている他の適切なハードウェアを含む。処理システムにおける１つ以上のプロセッサは、ソフトウェアを実行してもよい。ソフトウェアは、ソフトウェア、ファームウェア、ミドルウェア、マイクロコード、ハードウェア記述言語、または、その他で呼ばれるか否かにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈すべきである。
【００１５】
［００２３］
したがって、１つ以上の例示的な実施形態において、説明する機能は、ハードウェア、ソフトウェア、ファームウェア、または、これらの任意の組み合わせで実現してもよい。ソフトウェアにおいて実現する場合、機能は、コンピュータ読取可能媒体上において１つ以上の命令またはコードとして記憶またはエンコードされてもよい。コンピュータ読取可能媒体は、コンピュータ記憶媒体を含む。記憶媒体は、コンピュータによってアクセスすることができる任意の利用可能な媒体であってもよい。限定ではなく例として、このようなコンピュータ読取可能媒体は、ランダムアクセスメモリ（ＲＡＭ）、リードオンリーメモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶デバイス、あるいは、コンピュータによってアクセスできる命令またはデータ構造の形態で所望のプログラムコードを運ぶまたは記憶するために使用できる他の何らかの媒体を含むことができる。上記の組み合わせもまた、コンピュータ読取可能媒体の範囲内に含まれるべきである。
【００１６】
［００２４］
図１は、ワイヤレス通信システム１００のダイヤグラムである。ワイヤレス通信システム１００は、多数のワイヤレスデバイスを含んでいる。ワイヤレス通信システム１００は、例えば、ワイヤレス広域ネットワーク（ＷＷＡＮ）のような、セルラ通信システムとオーバーラップしてもよい。図１において、ＵＥ１０４は、アップリンク（ＵＬ）送信において、第１の情報１０６を基地局１０２（例えば、ｅノードＢ（ｅＮＢ））に送信してもよい。基地局１０２は、ダウンリンク（ＤＬ）送信において、第２の情報１０８をＵＥ１０４に送信してもよい。図１は、３つのＵＥ（例えば、ＵＥ１０４、１１０、１１２）を図示しているが、より多くのまたはより少ないＵＥが存在してもよい。
【００１７】
［００２５］
単一搬送波周波数分割多元接続（ＳＣ−ＦＤＭＡ）アップリンク（ＵＬ）によるワイヤレス通信システムにおいて、信号間の直交性を確実にするために、サイクリックプリフィックス（ＣＰ）がＳＣ−ＦＤＭＡシンボルの前に加えられてもよい。最小のオーバーヘッドのために、ＣＰの長さは、往復遅延の差を考慮することなく、チャネルの最大時間分散になるように典型的に設定されており、これは、セルラシステムにおいて重要であるかもしれない。このようなことから、ＵＥが通常のアップリンクデータ送信を開始できる前に、ＵＥは、その往復遅延を知り、それに応じてその送信時間を調整する必要があるかもしれない。ＵＬ送信のためのタイミング獲得および調整のプロセスは、ＵＬ同期化として知られている。ＬＴＥでは、タイミング推定のために、特に設計されたプリアンブル信号を使用することによって、初期ＵＬ同期化を行ってもよい。他の何らかのアップリンク送信の前に、ＵＥは、プリアンブル信号を基地局に送信してもよく、ＵＥの往復遅延を推定して、対応する時間進行コマンドをＵＥに送るために、基地局がこのプリアンブル信号を使用する。しかしながら、プリアンブルを使用するＵＬ同期化は、ＵＥのエアータイムを増加させ、これは、セルラインターネットオブスイングス（ＣＩＯＴ）におけるような、ＵＥの消費電力が重要であるアプリケーションに対して望ましくないかもしれない。さらに、プリアンブル信号は、非同期送信のために、他の信号と干渉することが多い。大きな干渉を避けるために、周波数におけるガード帯域を要求するかもしれない。このようなことから、ＳＣ−ＦＤＭＡにおいてプリアンブルを使用することなく、アップリンク同期化を実行する必要性が存在する。
【００１８】
［００２６］
プリアンブル信号を特に送信する代わりに、ＵＥは、初期信号によりＵＬ接続を直接開始してもよく、初期信号は、指定された時間周波数リソース中に、パイロット信号、データ信号、および、他の何らかの有用な信号を含んでいてもよい。パイロット信号は、チャネル推定を実行するために、受信機デバイス（例えば、基地局）によって使用される既知の基準信号であってもよい。データ信号は、ＵＥ識別情報、制御情報、リソース割り振り要求、パス損失報告、および、その後の通信のために使用できる他の情報を含んでいてもよい。オーバーヘッドを低減するために、初期シグナリングは、少量のデータ（例えば、４８ビット、または、１００ビット未満）を運んでもよい。初期信号に挿入された特別に構成されているパイロット信号を使用することによって、ＵＬ同期化を達成してもよい。初期信号は、物理ランダムアクセスチャネル（ＰＲＡＣＨ）として知られていてもよく、ＰＲＡＣＨは、アップリンク／ダウンリンクデータ転送のための専用リソースを要求するために、ＵＥによって使用されてもよい。ＰＲＡＣＨ信号をＵＥによって送信する時間期間は、ＰＲＡＣＨ期間として知られているかもしれない。ＰＲＡＣＨ期間は、指定された時間期間であってもよく、データおよびパイロット信号を送信するために使用される多数のシンボルを含んでいてもよい。ＰＲＡＣＨ期間中の送信に対して使用されるシンボルは、拡張されたＣＰ（例えば、１６．７μｓまたは３３．３μｓ）を有していてもよく、その期間は、チャネル分散および往復遅延に対処するのに十分なくらい長い。例えば、セル半径のキロメータ毎に、往復遅延は、６．７μｓであるかもしれない。ＰＲＡＣＨ信号を送信するために許容されるＰＲＡＣＨ期間が短い場合には、拡張されたＣＰを使用することによる全体的なオーバーヘッドは短くなるかもしれない。
【００１９】
［００２７］
タイミング推定の目的で、ＰＲＡＣＨ期間は、多数のＬ個のスロット（例えば、２０個のスロット）に分割してもよく、各スロットは、Ｓ個のシンボル（例えば、１０個のシンボル）を有していてもよい。このようなことから、各ＰＲＡＣＨ期間は、Ｌ×Ｓ個のＳＣ−ＦＤＭＡシンボルを有していてもよい。数ＬおよびＳは、最大のチャネルパス損失に対する、タイミング推定およびＰＲＡＣＨデータ通信の成功をサポートする値に基づいて選択してもよい。スロット内では、パイロット信号の数Ｐは２より大きいか、または、等しくてもよい。例えば、スロットが最小の２個のシンボルを有し、スロット中のパイロット信号送信に対して１個のトーンが割り振られると仮定すると、スロットは、２個のパイロット信号を有し、同じ割り振られたトーン上の各シンボルに対して１個のパイロット信号である。別の例では、スロットは、１０個のシンボルを合計で有していてもよく、２個のシンボルは、パイロット信号送信のために使用してもよく、８個のシンボルは、データ信号送信のために使用してもよい。スロットがパイロット信号送信のために割り振られた１個より多いトーンを有する場合、トーンはシンボル内で均等に分散させてもよい。インデックス０，１，．．．Ｌ−１によりナンバリングされたＬ個のスロット内で、スロットが偶数のインデックス付けされたスロットであるか、奇数のインデックス付けされたスロットであるかに依存して、物理トーンインデックスにマッピングする論理（または仮想）トーンインデックスが導入される。論理トーンインデックスｍは、偶数のインデックス付けされたスロット（例えば、０，２，４，．．．）における物理トーンインデックスｍ、および、奇数のインデックス付けされたスロット（例えば、１，３，５，．．．）における（ｍ＋ｇ）（ｍｏｄＮ）またはｍｏｄ（ｍ＋ｇ，Ｎ）を指してもよく、Ｎは、シンボル中で利用可能な（または、ガードトーンおよびＤＣトーンを含まないシンボル中で利用可能な）トーンの総数であり、ｇは予め定められたオフセットまたはホップである。ある態様では、パイロット信号が、偶数のインデックス付けされたスロット上で送信されるか、奇数のインデックス付けされたスロット上で送信されるかに依存して、パイロット信号は、トーンインデックスからトーンインデックスにホップしてもよい。１つの態様では、Ｎが、シンボルにおいて利用可能なトーンの総数である場合、ＰＲＡＣＨ期間中に送信されるすべての信号（データ信号およびパイロット信号）は１つのトーンインデックスから別のトーンインデックスにホップしてもよい。別の態様では、Ｎは、ＰＲＡＣＨ信号を送信するために利用可能なトーンの総数を表してもよい。
【００２０】
［００２８］
ＰＲＡＣＨチャネルまたはデータチャネルは、各ＰＲＡＣＨ期間内で多数の論理トーンが割り当てられてもよい。すなわち、すべての信号送信は、各奇数のインデックス付けされたスロットの始めに、ｇ個のトーンをホップする。スロット０、および、他の何らかの偶数のインデックス付けされたスロットにおいて、論理トーンインデックスは、物理トーンインデックスと同じであってもよい。ｇ個のトーンの周波数範囲内でＰＲＡＣＨチャネルが一定であり（またはほぼ一定であり）、また、位相の曖昧さを回避するために、ＰＲＡＣＨチャネルが最大往復遅延に関するシンボル期間の比よりも小さくなる、最大数となるようにｇの値を選んでもよい。例えば、ｇは、４、６、または、８と等しくてもよい。
【００２１】
［００２９］
各ＰＲＡＣＨ期間内で、ＰＲＡＣＨに対して割り振られた総リソースは、多数のＰＲＡＣＨリソースブロックにさらに分割してもよく、ＰＲＡＣＨリソースブロックは異なるサイズであってもよい。各ＰＲＡＣＨリソースブロックは、偶数の隣接スロットからなり、偶数番号のスロット（例えば、スロット０、スロット２、スロット４）から開始してもよい。ＵＥは、ＰＲＡＣＨ送信のために適切なサイズのＰＲＡＣＨリソースブロックをランダムに選んでもよい。ＰＲＡＣＨリソースブロックは、パイロットおよびデータ信号送信のために多数のトーン（例えば、論理トーン）が割り当てられてもよく、少なくとも２個のスロットを含んでいてもよい。
【００２２】
［００３０］
図２は、ＰＲＡＣＨ期間のダイヤグラム２００とＳＣ−ＦＤＭＡにおけるアップリンク同期化のためにＰＲＡＣＨ期間を利用する方法のダイヤグラム２５０とを図示している。図２中に示すように、ＰＲＡＣＨ期間２１０は、スロットインデックス０〜７を有する８個のスロットを有していてもよい。各スロットは、４個のシンボル２１２（あるいは、２より大きいか、または、等しい、他の何らかの数のシンボル）を有していてもよい。１つのコンフィギュレーションにおいて、２個以上の隣接スロット（例えば、スロット０、スロット１）が、ＰＲＡＣＨリソースブロック２２０にグループ化されてもよい。ある態様では、シンボルは、トーンインデックス０から７９を有する８０個のトーン（あるいは、１２８または２５６のような別の数のトーン）を有していてもよい。別のコンフィギュレーションでは、ＰＲＡＣＨ期間２１０は、少なくとも２個のスロットを有していてもよく、各スロットは、少なくとも２個のシンボルを有していてもよい。ＰＲＡＣＨ期間２１０は、基地局２０２および／または１つ以上のＵＥ２０４、２３０内で事前構成されていてもよい。基地局２０２および／または１つ以上のＵＥ２０４、２３０は、いつＰＲＡＣＨ期間２１０が生じるかを示すコンフィギュレーション情報を受信してもよい。例えば、ＵＥ２０４は、基地局２０２からコンフィギュレーション情報を受信してもよく、基地局２０２は、別のネットワークエンティティからコンフィギュレーション情報を受信してもよい。
【００２３】
［００３１］
１つの例では、ＵＥ２０４は、各スロットが４個のシンボルを有する、２個のスロットを有するＰＲＡＣＨソースブロック２００を選択してもよい。各シンボルにおいて利用可能なトーンの総数が８０個（例えば、ｉ＝０，．．．，７９）であり、オフセット値／ホッピング距離は４と等しく（ｇ＝４）、ＰＲＡＣＨリソースブロック２２０には、論理トーンインデックス３のような１個のトーンと、２個のスロットとが割り振られ、それぞれのスロットには、パイロット信号送信のために１つのトーンインデックスが割り当てられていると仮定すると、ＵＥはスロット０における物理トーンインデックス３でパイロット信号を送信してもよく、スロット１における物理トーンインデックス７でパイロット信号を送信してもよい。別の例では、ＰＲＡＣＨリソースブロック２２０が、４個の割り振られたスロットと、パイロット信号の送信のために割り振られた論理トーンインデックス３のような１つのトーンインデックスとを有する場合、パイロット信号は、スロット０における物理トーンインデックス３で、スロット１における物理トーンインデックス７で、スロット２における物理トーンインデックス３で、スロット３における物理トーンインデックス７で送信されてもよい。同様に、別の例では、ｇ＝４であると仮定すると、ＰＲＡＣＨリソースブロック２２０が２つの論理トーンインデックス１８および１９とスロット４から７とを有する場合、パイロット信号は、スロット４における物理トーンインデックス１８および１９上で、スロット５における物理トーンインデックス２２および２３上で、スロット６における物理トーンインデックス１８および１９上で、スロット７における物理トーンインデックス２２および２３上で送信されてもよい。ある態様では、スロット毎に１つより多くのトーンインデックスがパイロット信号を送信するために割り振られるときに、ＵＥは割り振られたトーンインデックスのサブセット上でパイロット信号を送信してもよい。例えば、スロット毎に６つのトーンインデックスが割り振られる場合、ＵＥは、６つの割り振られたトーンインデックスのうちの１つ以上でパイロット信号を送信してもよい。
【００２４】
［００３２］
別の例では、ＰＲＡＣＨ期間２１０内のＰＡＲＣＨリソースブロック２２０が異なるサイズを有する場合、ＵＥ２３０と比較して基地局２０２により近いＵＥ２０４は、より小さいＰＲＡＣＨリソースブロック（例えば、２個のスロット）を選択して、より高次の変調によりデータ信号を送信してもよい（例えば、パイロット信号は既知のＢＰＳＫ信号であってもよく、データ信号は、チャネル状態に依存して、異なる変調スキームを使用してもよい）。基地局２０２からさらに遠いＵＥ２３０は、より大きなＰＲＡＣＨリソースブロック（４個以上のスロット）を選択して、より低次の変調によりデータ信号を送信してもよい。ある態様では、ＵＥ２３０は、ＰＲＡＣＨリソース割り振り情報を含んでいるかもしれない、基地局２０２のブロードキャストチャネルを聞いてもよい。この態様では、ＵＥ２３０は、基地局２０２とのダウンリンク同期化を実行している間、チャネル状態を測定してもよい。ＵＥ２３０は、受信したＰＲＡＣＨリソース割り振り情報と測定したチャネル状態とに基づいて、ＰＲＡＣＨリソースブロックを選択してもよい。
【００２５】
［００３３］
図２中のダイヤグラム２５０を参照すると、ＵＥ２０４はＰＲＡＣＨ期間２１０内で割り振られたリソースのセットを決定してもよい。割り振られたリソースのセットは、スロットのセットであってもよく、各スロットは、シンボルのセットを含んでいてもよく、各シンボルは、トーンのセットを含んでいてもよい。別のコンフィギュレーションでは、割り振られたリソースのセットは、スロットのセットを含むＰＲＡＣＨリソースブロック２２０であってもよい。ある態様では、ＵＥ２０４は、ＰＲＡＣＨ送信のために、割り振られたリソースのセットをランダムに選択してもよい。別の態様では、ＵＥ２０４は、測定したチャネル状態に基づいて、そのサイズがＰＲＡＣＨ送信に適している、割り振られたリソースのセットを選択してもよい。別の態様では、ＵＥ２０４は、事前構成した設定に基づいて（例えば、ＵＥ識別子に基づいて）、割り振られたリソースのセットを決定してもよい。割り振られたリソースのセットは、スロットのサブセットであってもよく（またはを有していてもよく）、スロットのサブセットは、偶数のインデックス付けされたスロットのセットと奇数のインデックス付けされたスロットのセットとを含んでいてもよい。例えば、割り振られたリソースのセットは、スロットインデックス０およびスロットインデックス１を有する、２個のスロットを有していてもよい。ＵＥ２０４は、論理トーンデックスのセットが、スロットに対して割り振られていると決定してもよい。例えば、論理トーンインデックス３および６が割り振られている場合、偶数のインデックス付けされたスロット（例えば、スロット０）に対して、ＵＥ２０４は、パイロット信号の第１のセットを送信するために、物理トーンインデックスの第１のセット（例えば、トーンインデックス３および６）を決定してもよい。奇数のインデックス付けされたスロットに対して、ＵＥ２０４は、パイロット信号の第２のセットを送信するために、物理トーンインデックスの第２のセットを決定してもよい。物理トーンインデックスの第２のセットは、トーンインデックスの第１のセットプラスオフセット値ｇに基づいて決定されてもよい。例では、物理または（論理）トーンインデックスの第１のセットが３および６である場合、ｇ＝４であると仮定して、物理トーンインデックスの第２のセットは７および１０である。トーンインデックスのセット毎に２つのトーンインデックスを有する例が提供されているが、トーンインデックスのセット毎に、１つのまたは１つより多くのトーンインデックスがあってもよい。その上でパイロット信号を送信する、トーンインデックスとスロット内のシンボルとを決定して、ＵＥ２０４は、それぞれのシンボルにおけるトーンインデックスの決定された割り振られたセット中においてパイロット信号を基地局２０２に送信してもよい２０６。基地局２０２は、ＵＥ２０４からのデータ送信を受信してもよい。ＵＥ２０４からのデータ送信に基づいて、基地局２０２はチャネル位相オフセットを決定してもよい。１つのコンフィギュレーションでは、基地局２０２は、同じ周波数／トーンであるが、異なる選択された時間で見られるチャネル間のチャネル位相オフセットを決定してもよい。このコンフィギュレーションでは、基地局２０２は、決定した位相オフセットに基づいて、タイミングオフセットを決定してもよい。
【００２６】
［００３４］
別のコンフィギュレーションでは、基地局２０２は、同じ周波数／トーンであるが、異なる選択された時間で見られるチャネル間の第１のチャネル位相オフセットを決定してもよく、選択されたオフセットを有するが時間的に近い２個のトーンで見られるチャネル間の第２のチャネル位相オフセットを決定してもよい。このコンフィギュレーションでは、基地局２０２は、第１の決定したチャネル位相オフセットと第２の決定したチャネル位相オフセットとに基づいて、タイミングコンフィギュレーションを決定してもよい。例えば、ＵＥ２０４は、パイロット信号をスロット０および１上で送信してもよい。スロット０中では、パイロット信号は、シンボル０および２の物理トーンインデックス３上で送信されてもよい。スロット１において、オフセット値が、ｇ＝４であると仮定すると、ＵＥ２０４は、スロット１において、シンボル０および２の物理トーンインデックス７上で、パイロット信号を送信してもよい。これらのパイロット信号を受信すると、基地局２０２は、スロット０中におけるシンボル０の物理トーンインデックス３におけるパイロット信号と、スロット０中におけるシンボル２の物理トーンインデックス３におけるパイロット信号との間と、スロット１中におけるシンボル０の物理トーンインデックス７におけるパイロット信号と、スロット１中におけるシンボル２の物理トーンインデックス７におけるパイロット信号との間とで、第１のチャネル位相オフセットを決定してもよい。基地局２０２は、スロット０中におけるシンボル０の物理トーンインデックス３におけるパイロット信号と、スロット１中のシンボル０の物理トーンインデックス７におけるパイロット信号との間と、また、スロット０中におけるシンボル２の物理トーンインデックス３におけるパイロット信号と、スロット１中におけるシンボル２の物理トーンインデックス７におけるパイロット信号との間で、第２のチャネル位相オフセットを決定してもよい。その後、基地局２０２は、第１および第２のチャネル位相オフセットに基づいて、タイミングオフセットを決定してもよい。
【００２７】
［００３５］
タイミングオフセットを決定すると、基地局２０２は、肯定応答メッセージ２０８をＵＥ２０４に送信してもよい。肯定応答メッセージ２０８は、決定したタイミングオフセット（またはタイミングアドバンス）を含んでいてもよく、リソース割り振り情報も含んでいてもよい。
【００２８】
［００３６］
例えば、基地局２０２に関して、Ｋ個のトーンおよび２Ｔ個（Ｔ＞０）のスロットを有するＰＲＡＣＨブロックを検討する。基地局２０２は、パイロット信号を含む、ＵＥ２０４からの送信２０６を受信すると、高速フーリエ変換（ＦＦＴ）を行い、対応するトーンロケーションで、Ｋ点逆離散フーリエ変換（ＩＤＦＴ）が続き、シンボルｔ＝０，１，．．．，２ＴＳ−１およびトーンｋ（ｋ＝０、１、．．．、Ｋ−１）に対する信号ｙ（ｔ，ｋ）を取得してもよい。ここで、Ｓは、スロット中のシンボルの数に対応する。パイロット信号に対して、ＩＤＦＴ信号ｙ（ｔ，ｋ）の対応する出力は、パイロット信号の複素共役によりさらに乗算して、ｒ（ｔ，ｋ）を取得してもよい。ｒ（ｔ，ｋ）において、ｔは、パイロット信号を有するシンボルに対応していてもよい。
【００２９】
［００３７］
基地局２０２は、何らかの残余周波数オフセットのために、時間的に隣接する２個のパイロット間のチャネル位相オフセットを最初に推定してもよい。スロット内のパイロット信号が時間的に等間隔であるときに、各スロット内にそして各トーンロケーション内にシーケンシャルにパイロット信号０，１，．．．Ｐ−２を有するＰ個のシンボルに対応する受信信号ｒ（ｔ，ｋ）を、基地局２０２が列ベクトルｘ中に収集し、同様に、パイロットシンボル１，２，．．．，Ｐ−１に対応する信号を、基地局２０２が別の列ベクトルｙ中に収集してもよく、ｘとｙの両方が２（Ｐ−１）ＴＫエントリを有する。したがって、位相オフセットはβ=角度（ｘｈｙ）として推定してもよく、ここで、上つき文字ｈはエルミート転置を表す。例えば、スロット０では、３個のパイロット信号（例えば、Ｐ０，Ｐ１，Ｐ２）があると仮定する。３個すべてのパイロット信号は、同じチャネルを通過しなければならない（チャネルがスロットの間、一定であると仮定する）。（例えば、Ｐ０とＰ１との間、またはＰ１とＰ２との間の）パイロット信号のそれぞれ上の対応するチャネル推定における何らかの差は、位相オフセットを決定するために使用することができる周波数オフセットであってもよい。
【００３０】
［００３８］
いったん周波数オフセットによる位相オフセットが推定されると、ｇだけ物理的なトーンロケーションが異なるが、時間的に近い（例えば、スロット０およびスロット１）２個のパイロット信号間のチャネル位相オフセットからタイミングを推定してもよい。このケースでは、チャネルは、２個のスロットの期間でほぼ一定であると仮定してもよい。偶数のインデックス付けされたスロットにおけるすべてのパイロット信号は、列ベクトルｗ中に収集され、奇数のインデックス付けされたスロットにおけるすべてのパイロット信号は、同じ順序で列ベクトルｖ中に収集されてもよい。両方のベクトルｗおよびｖは、ＫＰＴエントリを有していてもよい。タイミングオフセット（または到着のタイミング）は、以下の式で推定することができる。
【００３１】
【数１】
0006469855.tif 000002
【００３２】
［００３９］
上記の式において、ＮｆｆｔはＦＦＴサイズであり、Ｄは、２個のパイロット信号間の間隔であってもよく、Ｓは、スロット毎のシンボルの数であってもよい。
【００３３】
［００４０］
図３は、物理ＰＲＡＣＨチャネルマッピングのダイヤグラム３００である。
図３中に示すように、ＰＲＡＣＨは、物理アップリンク共有チャネル（ＰＵＳＣＨ）および物理アップリンク制御チャネル（ＰＵＣＣＨ）の隣にあってもよい。ＰＲＡＣＨは、フレーム毎に生じてもよく、または、ある指定されたフレーム中で周期的に生じてもよい。この例では、ＰＲＡＣＨは２４個の隣接スロットを有する。スロット中の各シンボルは、ＰＲＡＣＨシグナリングのために、Ｋ個のトーンが割り当てられ、８０（または他の何らかの値）は、（ＤＣトーン、ガードトーン等を含まない）シンボルにおける使用可能なトーンまたはトーンインデックスの総数であってもよい。別の態様では、ＰＲＡＣＨシグナリングのために割り当てられるトーンの数Ｋは、シンボルにおける使用可能なトーンの総数に等しくてもよい。
【００３４】
［００４１］
図４は、プリアンブルを使用しないアップリンク同期化のためのワイヤレス通信の方法のフローチャート４００である。方法は、ＵＥ（例えば、ＵＥ１０４，２０４）によって実行されてもよい。ステップ４０２において、ＰＲＡＣＨ期間内で割り振られたリソースのセットを決定してもよい。ＰＲＡＣＨ期間はスロットのセットを有していてもよく、スロットのセット中の各スロットは、セットシンボルを含んでいてもよく、シンボルの各セット中の各シンボルは、トーンのセットを含んでいてもよい。ある態様では、ＵＥは、ステップ４０４〜４０８を実行することにより、ＰＲＡＣＨ期間内で割り振られたリソースのセットを決定してもよい。４０４において、パイロット信号を送信するために、ＰＲＡＣＨ期間中におけるスロットのセット内のスロットのサブセットをＵＥは決定してもよい。スロットのサブセットは、偶数のインデックス付けされたスロットのセットと奇数のインデックス付けされたスロットのセットとを含んでいてもよい。４０６において、パイロット信号の第１のセットを送信するために、偶数のインデックス付けされたスロットのセット中のトーンインデックスの第１のセットをＵＥは決定してもよい。４０８において、パイロット信号の第２のセットを送信するために、奇数のインデックス付けされたスロットのセット中のトーンインデックスの第２のセットをＵＥは決定してもよい。トーンインデックスの第２のセットは、トーンインデックスの第１のセットとオフセット値とに基づいていてもよい。ある態様では、パイロット信号の第１のセットは、少なくとも２個のパイロット信号を有していてもよく、パイロット信号の第２のセットは、少なくとも２個のパイロット信号を有していてもよい。例えば、図２を参照すると、ＵＥ２０４は、ＰＲＡＣＨリソースブロック２２０、または、２個のスロットのサブセットを選択してもよい。この例では、ＰＲＡＣＨリソースブロック２２０は、２個のスロット、偶数のインデックス付けされたスロット（スロット０）および奇数のインデックス付けされたスロット（スロット１）を有していてもよい。ＰＲＡＣＨリソースブロック２２０のスロット０において、パイロット信号を送信するために、トーンインデックス３および７が割り振られてもよい。４のオフセット値を仮定すると、スロット１において、パイロット信号を送信するために、トーンインデックス７および１１が割り振られてもよい。このように、パイロット信号の第１のセットは、トーンインデックス３および７上で送信されてもよく、パイロット信号の第２のセットは、トーンインデックス７および１１上で送信されてもよい。
【００３５】
［００４２］
ステップ４１０において、ＰＲＡＣＨ期間を有する割り振られたリソースのセットを決定すると、ＵＥは、決定した割り振られたリソースのセット中でパイロット信号を送信してもよい。例えば、図２を参照すると、ＵＥ２０４は、スロット０中のトーンインデックス３および７上で、スロット１中のトーンインデックス７および１１上で、パイロット信号を送信してもよい。
【００３６】
［００４３］
ステップ４１２において、ＵＥは、決定した割り振られたリソースのセット中で情報を送信してもよい。情報は、識別子、制御情報、または、パス損失報告のうちの少なくとも１つを含んでいてもよい。例えば、図２を参照すると、ＵＥ２０４は、ＵＥ２０４に関係付けられている識別子、リソース割り振り要求、パス損失報告を、スロット０および１中で基地局２０２に送信してもよい。
【００３７】
［００４４］
図５は、プリアンブルを使用することないアップリンク同期化におけるタイミングアドバンスを決定するための、ワイヤレス通信の方法のフローチャート５００である。方法は、ｅＮＢ（例えば、基地局１０２，２０２）によって実行されてもよい。ステップ５０２において、ｅＮＢはＵＥからのデータ送信を受信してもよい。ある態様では、ＰＲＡＣＨ期間内で割り振られたリソースのセット上でデータ送信を受信してもよい。ある態様では、データ送信は、パイロット信号を含んでいる。パイロット信号は、トーンインデックスの第１のセットと、トーンインデックスの第２のセット中で受信されてもよい。トーンインデックスの第１のセットは、ＰＲＡＣＨ期間の偶数のインデックス付けされたスロットのセットに関係付けられてもよく、トーンインデックスの第２のセットは、ＰＲＡＣＨ期間の奇数のインデックス付けされたスロットのセットに関係付けられてもよい。トーンインデックスの第２のセットは、トーンインデックスの第１のセットとオフセット値とに基づいていてもよい。例えば、図２を参照すると、基地局２０２は、ＰＲＡＣＨ期間２１０内でＵＥ２０４からの送信２０６を受信してもよい。送信２０６は、ＰＲＡＣＨ期間２１０内で割り振られたリソースのセット（例えば、ＰＲＡＣＨリソースブロック２２０のスロット０，１，および２）上で受信されてもよい。各スロットは、１０個のシンボルを有していてもよく、そのうちの２個（例えば、シンボル３、シンボル７）がパイロット信号送信のために割り振られもよい。パイロット信号送信のために、論理トーンインデックス０が割り振られ、オフセット値が６であると仮定すると、送信２０６はスロット０の、シンボル３および７の、トーンインデックス０において受信されるパイロット信号を含んでいてもよい。パイロット信号は、スロット１の、シンボル３および７の、トーンインデックス６において受信されてもよく、パイロット信号は、スロット２の、シンボル３および７の、トーンインデックス０において受信されてもよい。送信２０６は、ＵＥ２０４に関係付けられている識別子、制御情報（例えば、リソース割り振り要求）、パス損失報告を含んでいてもよい。
【００３８】
［００４５］
ステップ５０４において、ｅＮＢは、受信したデータ送信に基づいて、チャネル位相オフセットを決定してもよい。１つのコンフィギュレーションにおいて、ｅＮＢは、ステップ５０６および５０８を実行することにより、チャネル位相オフセットを決定してもよい。ステップ５０６において、ｅＮＢは、受信したデータ送信に基づいて、第１のチャネル位相オフセットを決定してもよい。ステップ５０８において、ｅＮＢは、受信したデータ送信に基づいて、第２のチャネル位相オフセットを決定してもよい。例えば、基地局２０２は、１つ以上の第１のチャネル位相オフセットを決定してもよい。基地局２０２は、スロット０の、シンボル３の、トーンインデックス０において受信したパイロット信号と、スロット０の、シンボル７の、トーンインデックス０において受信したパイロット信号とに基づいて、第１のチャネル位相オフセットを決定してもよい。別の例では、基地局２０２は、スロット１の、シンボル３の、トーンインデックス６において受信したパイロット信号と、スロット１の、シンボル７の、トーンインデックス６において受信したパイロット信号とに基づいて、異なる第１のチャネル位相オフセットを決定してもよい。別の例では、基地局２０２は、スロット２の、シンボル３の、トーンインデックス０において受信したパイロット信号と、スロット０の、シンボル７の、トーンインデックス０において受信したパイロット信号とに基づいて、さらに別の第１のチャネル位相オフセットを決定してもよい。
【００３９】
［００４６］
同様に、基地局２０２は、１つ以上の第２のチャネル位相オフセットを決定してもよい。基地局２０２は、第１のチャネル位相オフセットと、スロット０の、シンボル３の、トーンインデックス０において受信したパイロット信号と、スロット１の、シンボル３の、トーンインデックス６において受信したパイロット信号とに基づいて、第２のチャネル位相オフセットを決定してもよい。基地局２０２は、異なる第１のチャネル位相オフセットと、スロット０の、シンボル７の、トーンインデックス０において受信したパイロット信号と、スロット１の、シンボル７の、トーンインデックス６において受信したパイロット信号とに基づいて、異なる第２のチャネル位相オフセットを決定してもよい。
【００４０】
［００４７］
ステップ５１０において、ｅＮＢは、決定したチャネル位相オフセットに基づいて、タイミングオフセットを決定してもよい。ある態様では、第１のチャネル位相オフセットと第２のチャネル位相オフセットとに基づいて、タイミングオフセットを決定することにより、ｅＮＢは、タイミングオフセットを決定してもよい。例えば、基地局２０２は、第１および第２のチャネル位相オフセットに基づいて、タイミングオフセットを決定してもよい。
【００４１】
［００４８］
最後に、ステップ５１２において、ｅＮＢは肯定応答メッセージをＵＥに送信してもよく、肯定応答メッセージは、決定したタイミングオフセットを含む。ある態様では、肯定応答メッセージは、リソース割り振りを含んでいてもよい。例えば、基地局２０２は、肯定応答メッセージ２０８をＵＥ２０４に送信してもよい。肯定応答メッセージ２０８は、ＵＥ２０４からの（データおよびパイロット信号を含む）送信２０６の受信に成功したことを示す肯定応答と、ＵＥ２０４からの送信２０６に基づいて決定されたタイミングオフセット（またはタイミングアドバンス）と、ＵＥ２０４に対するリソース割り振りとを含んでいてもよい。
【００４２】
［００４９］
図６は、例示的な装置６０２における異なるモジュール／手段／コンポーネント間のデータフローを図示する概念的なデータフローダイヤグラム６００である。装置は、ＵＥであってもよい。装置は、受信モジュール６０４、同期化モジュール６０６、送信モジュール６０８を含んでいる。受信モジュール６０４は、基地局６５０からコンフィギュレーション情報を受信するように構成されていてもよく、コンフィギュレーション情報は、いつＰＲＡＣＨ期間が生じるかを示してもよい。同期化モジュール６０６は、ＰＲＡＣＨ期間内で割り振られたリソースのセットを決定するように構成されていてもよい。１つのコンフィギュレーションにおいて、同期化モジュール６０６は、受信モジュール６０４から受信したコンフィギュレーション情報に基づいて、割り振られたリソースのセットを決定してもよい。コンフィギュレーション情報は、ＵＥ識別情報とＰＲＡＣＨ選択情報とを含んでいてもよい。ある態様では、ＰＲＡＣＨ期間は、スロットのセットを有していてもよく、スロットのセット中の各スロットは、セットシンボルを含んでいてもよく、シンボルの各セット中の各シンボルは、トーンのセットを含んでいてもよい。この態様では、同期化モジュール６０６は、パイロット信号を送信するために、ＰＲＡＣＨ期間中におけるスロットのセット内のスロットのサブセットを決定することにより、割り振られたリソースのセットを決定するように構成されていてもよい。スロットのサブセットは、偶数のインデックス付けされたスロットのセットと奇数のインデックス付けされたスロットのセットとを含んでいてもよい。同期化モジュール６０６は、パイロット信号の第１のセットを送信するための、偶数のインデックス付けされたスロットのセット中のトーンインデックスの第１のセットを決定し、パイロット信号の第２のセットを送信するための、奇数のインデックス付けされたスロットのセット中のトーンインデックスの第２のセットを決定するように構成されていてもよい。トーンインデックスの第２のセットは、トーンインデックスの第１のセットとオフセット値とに基づいていてもよい。別の態様では、パイロット信号の第１のセットは、少なくとも２個のパイロット信号を有していてもよく、パイロット信号の第２のセットは、少なくとも２個のパイロット信号を有していてもよい。送信モジュール６０８は、決定した割り振られたリソースのセット中でパイロット信号を基地局６５０に送信するように構成されていてもよい。別のコンフィギュレーションでは、送信モジュール６０８は、決定した割り当てられたリソースのセット中で情報を基地局６５０に送信するように構成されていてもよい。情報は、識別子、制御情報、または、パス損失報告のうちの少なくとも１つを含んでいてもよい。
【００４３】
［００５０］
装置は、図５の前述のフローチャート中のアルゴリズムのブロックのそれぞれを実行する追加のモジュールを含んでいてもよい。このように、図５の前述のフローチャート中の各ブロックは、モジュールによって実行されてもよく、装置は、これらのモジュールのうちの１つ以上を含んでいてもよい。モジュールは、説明したプロセス／アルゴリズムを実行するように特に構成され、プロセッサによるインプリメンテーションのためにコンピュータ読取可能媒体内に記憶された、説明したプロセス／アルゴリズムを実行するように構成されたプロセッサによって実現される、１つ以上のハードウェアコンポーネント、または、これらの何らかの組み合わせであってもよい。
【００４４】
［００５１］
図７は、処理システム７１４を用いる装置６０２’のためのハードウェアインプリメンテーションの例を図示するダイヤグラム７００である。処理システム７１４は、バス７２４により一般的に表される、バスアーキテクチャにより実現してもよい。バス７２４は、処理システム７１４の特定のアプリケーションおよび全体的な設計制約に依存して、任意の数の相互接続バスおよびブリッジを含んでいてもよい。バス７２４は、プロセッサ７０４、モジュール６０４、６０６、６０８、およびコンピュータ読取可能読媒体／メモリ７０６によって表される、１つ以上のプロセッサおよび／またはハードウェアモジュールを含むさまざまな回路を互いにリンクさせる。バス７２４はまた、タイミングソース、周辺機器、電圧レギュレータ、および電力管理回路のような他のさまざまな回路をリンクさせてもよく、これらは、技術的によく知られており、したがって、これ以上は説明しない。
【００４５】
［００５２］
処理システム７１４は、トランシーバ７１０に結合されてもよい。トランシーバ７１０は、１つ以上のアンテナ７２０に結合されている。トランシーバ７１０は、送信媒体を通して他のさまざまな装置と通信する手段を提供する。トランシーバ７１０は、１つ以上のアンテナ７２０から信号を受信し、受信した信号から情報を抽出し、抽出した情報を処理システム７１４、具体的には受信モジュール６０４に提供する。加えて、トランシーバ７１０は、処理システム７１４、具体的には送信モジュール６０８から情報を受け取り、受け取った情報に基づいて、１つ以上のアンテナ７２０に適用される信号を発生させる。処理システム７１４は、コンピュータ読取可能媒体／メモリ７０６に結合されているプロセッサ７０４を含む。プロセッサ７０４は、コンピュータ読取可能媒体／メモリ７０６に記憶されているソフトウェアの実行を含む、一般的な処理を担う。ソフトウェアは、プロセッサ７０４によって実行されるときに、処理システム７１４に、任意の特定の装置に関して上記に説明したさまざまな機能を実行させる。コンピュータ読取可能媒体／メモリ７０６はまた、ソフトウェアを実行するときに、プロセッサ７０４によって操作されるデータを記憶するために使用してもよい。処理システムはさらに、モジュール６０４、６０６および６０８のうちの少なくとも１つを含む。モジュールは、コンピュータ読取可能媒体／メモリ７０６中に常駐／記憶され、プロセッサ７０４において実行される、ソフトウェアモジュール、プロセッサ７０４に結合され１つ以上のハードウェアモジュール、または、これらの何らかの組み合わせであってもよい。
【００４６】
［００５３］
１つのコンフィギュレーションでは、ワイヤレス通信のための装置６０２／６０２’は、ＰＲＡＣＨ期間内で割り振られたリソースのセットを決定する手段を含む。装置は、決定した割り振られたリソースのセット中でパイロット信号を送信する手段をさらに含む。ある態様では、ＰＲＡＣＨ期間はスロットのセットを有していてもよく、スロットのセット中の各スロットは、セットシンボルを含んでいてもよく、シンボルの各セット中の各シンボルは、トーンのセットを含んでいてもよい。１つのコンフィギュレーションでは、割り振られたリソースのセットを決定する手段は、パイロット信号を送信するために、ＰＲＡＣＨ期間中におけるスロットのセット内のスロットのサブセットを決定することと、パイロット信号の第１のセットを送信するために、偶数のインデックス付けされたスロットのセット中のトーンインデックスの第１のセットを決定することと、パイロット信号の第２のセットを送信するために、奇数のインデックス付けされたスロットのセット中のトーンインデックスの第２のセットを決定することとによって、割り振られたリソースのセットを決定するように構成されてもよく、スロットのサブセットは、偶数のインデックス付けされたスロットのセットと奇数のインデックス付けされたスロットのセットとを含み、トーンインデックスの第２のセットは、トーンインデックスの第１のセットとオフセット値とに基づいていてもよい。ある態様では、パイロット信号の第１のセットは、少なくとも２個のパイロット信号を有していてもよく、パイロット信号の第２のセットは、少なくとも２個のパイロット信号を有していてもよい。装置は、決定した割り振られたリソースのセット中で情報を送信する手段さらに含んでいてもよい。情報は、識別子、制御情報、または、パス損失報告のうちの少なくとも１つを含んでいてもよい。前述の手段は、装置６０２の上述のモジュールのうちの１つ以上および／または前述の手段によって規定される機能を実行するように構成されている装置６０２’の処理システム７１４であってもよい。
【００４７】
［００５４］
図８は、例示的な装置８０２における異なるモジュール／手段／コンポーネント間のデータフローを図示する概念のデータフローダイヤグラム８００である。装置は、ｅＮＢであってもよい。装置は、受信モジュール８０４、位相モジュール８０６、タイミングモジュール８０８、および、送信モジュール８１０を含む。受信モジュール８０４は、ＵＥ８５０からのデータ送信を受信するように構成されていてもよい。位相モジュール８０６は、受信したデータ送信に基づいて、チャネル位相オフセットを決定するように構成されていてもよい。タイミングモジュール８０８は、決定したチャネル位相オフセットに基づいて、タイミングオフセットを決定するように構成されていてもよい。送信モジュール８１０は、肯定応答メッセージをＵＥ８５０に送信するように構成されていてもよい。肯定応答メッセージは、決定したタイミングオフセットを含んでいてもよい。ある態様では、データ送信は、ＰＲＡＣＨ期間内で割り振られたリソースのセット中で受信されてもよい。この態様では、データ送信は、パイロット信号を含んでいてもよく、パイロット信号は、ト−ンインデックスの第１のセットとトーンインデックスの第２のセットとにおいて受信されてもよい。トーンインデックスの第１のセットは、ＰＲＡＣＨ期間の偶数のインデックス付けされたスロットのセットに関係付けられてもよく、トーンインデックスの第２のセットは、ＰＲＡＣＨ期間の奇数のインデックス付けされたスロットのセットに関係付けられてもよい。トーンインデックスの第２のセットは、トーンインデックスの第１のセットとオフセット値とに基づいていてもよい。別の態様では、データ送信は、識別子、制御情報、または、パス損失報告のうちの少なくとも１つを含んでいてもよい。１つのコンフィギュレーションにおいて、位相モジュール８０６は、受信したデータ送信に基づいて、第１のチャネル位相オフセットを決定することと、受信したデータ送信に基づいて、第２のチャネル位相オフセットを決定することとによって、チャネル位相オフセットを決定するように構成されていてもよい。このコンフィギュレーションでは、タイミングモジュール８０８は、第１のチャネル位相オフセットと第２のチャネル位相オフセットとに基づいて、タイミングオフセットを決定することによって、タイミングオフセットを決定するように構成されていてもよい。
【００４８】
［００５５］
装置は、図５の前述のフローチャー中のアルゴリズムのブロックのそれぞれを実行する追加のモジュールを含んでいてもよい。このように、図５の前述のフローチャート中の各ブロックは、モジュールによって実行されてもよく、装置は、これらのモジュールのうちの１つ以上を含んでいてもよい。モジュールは、説明したプロセス／アルゴリズムを実行するように特に構成され、プロセッサによるインプリメンテーションのためにコンピュータ読取可能媒体内に記憶された、説明したプロセス／アルゴリズムを実行するように構成されたプロセッサによって実現される、１つ以上のハードウェアコンポーネント、または、これらの何らかの組み合わせであってもよい。
【００４９】
［００５６］
図９は、処理システム９１４を用いる装置８０２’のためのハードウェアインプリメンテーションの例を図示するダイヤグラム９００である。処理システム９１４は、バス９２４により一般的に表される、バスアーキテクチャにより実現してもよい。バス９２４は、処理システム９１４の特定のアプリケーションおよび全体的な設計制約に依存して、任意の数の相互接続バスおよびブリッジを含んでいてもよい。バス９２４は、プロセッサ９０４、モジュール８０４、８０６、８０８、８１０、および、コンピュータ可読媒体／メモリ９０６によって表される、１つ以上のプロセッサおよび／またはハードウェアモジュールを含むさまざまな回路を互いにリンクさせる。バス９２４はまた、タイミングソース、周辺機器、電圧レギュレータ、および電力管理回路のような他のさまざまな回路をリンクさせてもよく、これらは、技術的によく知られており、したがって、これ以上は説明しない。
【００５０】
［００５７］
処理システム９１４は、トランシーバ９１０に結合されていてもよい。トランシーバ９１０は、１つ以上のアンテナ９２０に結合されている。トランシーバ９１０は、送信媒体を通して他のさまざまな装置と通信する手段を提供する。トランシーバ９１０は、１つ以上のアンテナ９２０から信号を受け取り、受け取った信号から情報を抽出し、抽出した情報を処理システム９１４、具体的には受信モジュール８０４に提供する。加えて、トランシーバ９１０は、処理システム９１４、具体的には送信モジュール８１０から情報を受け取り、受け取った情報に基づいて、１つ以上のアンテナ９２０に適用される信号を発生させる。処理システム９１４は、コンピュータ読取可能媒体／メモリ９０６に結合されているプロセッサ９０４を含む。プロセッサ９０４は、コンピュータ読取可能媒体／メモリ９０６上に記憶されているソフトウェアの実行を含む、一般的な処理を担う。ソフトウェアは、プロセッサ９０４によって実行されるときに、処理システム９１４に、任意の特定の装置に関して上記で説明したさまざまな機能を実行させる。コンピュータ読取可能媒体／メモリ９０６はまた、ソフトウェアを実行するときに、プロセッサ９０４によって操作されるデータを記憶するために使用してもよい。処理システムはさらに、モジュール８０４、８０６、８０８、８１０のうちの少なくとも１つを含む。モジュールは、コンピュータ読取可能媒体／メモリ９０６中に常駐／記憶され、プロセッサ９０４において実行される、ソフトウェアモジュール、プロセッサ９０４に結合された１つ以上のハードウェアモジュール、または、これらの何らかの組み合わせであってもよい。
【００５１】
［００５８］
１つのコンフィギュレーションにおいて、ワイヤレス通信のための装置８０２／８０２’は、ＵＥからのデータ送信を受信する手段を含む。装置は、受信したデータ送信に基づいて、チャネル位相オフセットを決定する手段を含んでいてもよい。装置は、決定したチャネル位相オフセットに基づいて、タイミングオフセットを決定する手段を含んでいてもよい。装置は、肯定応答メッセージをＵＥに送信する手段を含んでいてもよい。肯定応答メッセージは、決定したタイミングオフセットを含んでいてもよい。ある態様では、データ送信は、ＰＲＡＣＨ期間内で割り振られたリソースのセット中で受信される。別の態様では、データ送信は、パイロット信号を含んでいてもよく、パイロット信号は、トーンインデックスの第１のセットとトーンインデックスの第２のセット中で受信されてもよい。トーンインデックスの第１のセットは、ＰＲＡＣＨ期間の偶数のインデックス付けされたスロットのセットに関係付けられていてもよく、トーンインデックスの第２のセットは、ＰＲＡＣＨ期間の奇数のインデックス付けされたスロットのセットに関係付けられていてもよい。トーンインデックスの第２のセットは、トーンインデックスの第１のセットとオフセット値とに基づいていてもよい。別の態様では、データ送信は、識別子、制御情報、または、パス損失報告のうちの少なくとも１つを含んでいてもよい。１つのコンフィギュレーションにおいて、チャネル位相オフセットを決定する手段は、受信したデータ送信に基づいて、第１のチャネル位相オフセットを決定するようにと、受信したデータ送信に基づいて、第２のチャネル位相オフセットを決定するように構成されていてもよい。このコンフィギュレーションでは、タイミングオフセットを決定する手段は、第１のチャネル位相オフセットと第２のチャネル位相オフセットとに基づいて、タイミングオフセットを決定するように構成されていてもよい。前述の手段は、前述の手段によって規定される機能を実行するように構成されている装置８０２’の処理システム９１４および／または装置８０２の前述のモジュールのうちの１つ以上であってもよい。
【００５２】
［００５９］
開示したプロセス／フローチャートにおけるブロックの、特定の順序または階層は、例示的なアプローチの実例であるということが理解される。設計の選好に基づいて、プロセス／フローチャートにおけるブロックの、特定の順序または階層は、再構成してもよいということが理解される。さらに、いくつかのブロックは、組み合わされてもよく、または、省略されてもよい。添付の方法の特許請求の範囲は、サンプル順序でさまざまなブロックの要素を提示しているが、提示された特定の順序または階層に限定されることを意味するものではない。
【００５３】
［００６０］
先の説明は、当業者がここで説明したさまざまな態様を実施できるようにするために提供している。これらの態様へのさまざまな修正は、当業者にとって容易に明らかとなり、ここで定義された包括的な原理は、他の態様に適用してもよい。したがって、特許請求の範囲は、ここで示した態様を限定するように意図されているものではなく、言語的特許請求の範囲と一貫する全範囲に一致すべきである。ここにおいて、単数形での要素への言及は、そうであると特に述べられていない限り、「１つであり１つだけ」ではなく、むしろ「１つ以上」を意味するように意図されている。用語「例示的」は、ここでは、「例、事例、または実例としての役割を果たす」という意味で使用される。「例示的」なものとしてここで説明する任意の態様は、必ずしも、他の態様よりも好ましい、または利点を有すると解釈すべきではない。そうでないと具体的に述べられない限り、用語「いくつかの」は、１つ以上を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここに開示したものは何れも、このような開示が特許請求の範囲において明示的に規定されているか否かにかかわらず、公に捧げられることを意図していない。「・・・する手段」というフレーズを使用して要素を明示的に規定していない限り、特許請求の範囲のいずれの要素も、ミーンズプラスファンクションとして解釈すべきでない。
以下に、本願出願の当初の特許請求の範囲に記載された発明を付記する。
［１］  ユーザ機器（ＵＥ）によるワイヤレス通信の方法において、
物理ランダムアクセスチャネル（ＰＲＡＣＨ）期間内で割り振られたリソースのセットを決定することと、
前記決定した割り振られたリソースのセット中でパイロット信号を送信することとを含む方法。
［２］  前記ＰＲＡＣＨ期間はスロットのセットを有し、
前記スロットのセット中の各スロットは、セットシンボルを含み、
シンボルの各セット中の各シンボルは、トーンのセットを含む［１］記載の方法。
［３］  前記割り振られたリソースのセットを決定することは、
前記パイロット信号を送信するために、前記ＰＲＡＣＨ期間中における前記スロットのセット内のスロットのサブセットを決定することと、
パイロット信号の第１のセットを送信するために、偶数のインデックス付けされたスロットのセット中のトーンインデックスの第１のセットを決定することと、
パイロット信号の第２のセットを送信するために、奇数のインデックス付けされたスロットのセット中のトーンインデックスの第２のセットを決定することとを含み、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［２］記載の方法。
［４］  前記割り振られたリソースのセットを決定することは、前記パイロット信号を送信するために、前記ＰＲＡＣＨ期間中における前記スロットのサブセット中の各スロット内のシンボルのサブセットを決定することをさらに含み、
前記各スロット内のシンボルのサブセットは、２より大きいか、または、等しい［３］記載の方法。
［５］  前記パイロット信号の第１のセットは、少なくとも２つのパイロット信号を有し、前記パイロット信号の第２のセットは、少なくとも２つのパイロット信号を有する［３］記載の方法。
［６］  前記決定した割り振られたリソースのセット中で情報を送信することをさらに含み、
前記情報は、識別子、制御情報、または、パス損失報告のうちの少なくとも１つを含む［１］記載の方法。
［７］  ワイヤレス通信のための装置において、
メモリと、
前記メモリに結合されている少なくとも１つのプロセッサとを具備し、
前記少なくとも１つのプロセッサは、
物理ランダムアクセスチャネル（ＰＲＡＣＨ）期間内で割り振られたリソースのセットを決定するようにと、
前記決定した割り振られたリソースのセット中でパイロット信号を送信するように構成されている装置。
［８］  前記ＰＲＡＣＨ期間はスロットのセットを有し、
前記スロットのセット中の各スロットは、セットシンボルを含み、
シンボルの各セット中の各シンボルは、トーンのセットを含む［７］記載の装置。
［９］  前記少なくとも１つのプロセッサは、
前記パイロット信号を送信するために、前記ＰＲＡＣＨ期間中における前記スロットのセット内のスロットのサブセットを決定することと、
パイロット信号の第１のセットを送信するために、偶数のインデックス付けされたスロットのセット中のトーンインデックスの第１のセットを決定することと、
パイロット信号の第２のセットを送信するために、奇数のインデックス付けされたスロットのセット中のトーンインデックスの第２のセットを決定することとによって、前記割り振られたリソースのセットを決定するように構成され、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［８］記載の装置。
［１０］  前記少なくとも１つのプロセッサは、
前記パイロット信号を送信するために、前記ＰＲＡＣＨ期間中における前記スロットのサブセット中の各スロット内のシンボルのサブセットを決定することによって、前記割り振られたリソースのセットを決定するように構成され、
前記各スロット内のシンボルのサブセットは、２より大きいか、または、等しい［９］記載の装置。
［１１］  前記パイロット信号の第１のセットは、少なくとも２つのパイロット信号を有し、前記パイロット信号の第２のセットは、少なくとも２つのパイロット信号を有する［９］記載の装置。
［１２］  前記少なくとも１つのプロセッサは、
前記決定した割り振られたリソースのセット中で情報を送信するようにさらに構成され、
前記情報は、識別子、制御情報、または、パス損失報告のうちの少なくとも１つを含む［７］記載の装置。
［１３］  ワイヤレス通信のための装置において、
前記装置はユーザ機器（ＵＥ）であり、
物理ランダムアクセスチャネル（ＰＲＡＣＨ）期間内で割り振られたリソースのセットを決定する手段と、
前記決定した割り振られたリソースのセット中でパイロット信号を送信する手段とを具備する装置。
［１４］  前記ＰＲＡＣＨ期間はスロットのセットを有し、
前記スロットのセット中の各スロットは、セットシンボルを含み、
シンボルの各セット中の各シンボルは、トーンのセットを含む［１３］記載の装置。
［１５］  前記割り振られたリソースのセットを決定する手段は、
前記パイロット信号を送信するために、前記ＰＲＡＣＨ期間中における前記スロットのセット内のスロットのサブセットを決定するようにと、
パイロット信号の第１のセットを送信するために、偶数のインデックス付けされたスロットのセット中のトーンインデックスの第１のセットを決定するようにと、
パイロット信号の第２のセットを送信するために、奇数のインデックス付けされたスロットのセット中のトーンインデックスの第２のセットを決定するように構成され、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［１４］記載の装置。
［１６］  前記割り振られたリソースのセットを決定する手段は、前記パイロット信号を送信するために、前記ＰＲＡＣＨ期間中における前記スロットのサブセット中の各スロット内のシンボルのサブセットを決定するようにさらに構成され、
前記各スロット内のシンボルのサブセットは、２より大きいか、または、等しい［１５］記載の装置。
［１７］  前記パイロット信号の第１のセットは、少なくとも２つのパイロット信号を有し、前記パイロット信号の第２のセットは、少なくとも２つのパイロット信号を有する［１５］記載の装置。
［１８］  前記決定した割り振られたリソースのセット中で情報を送信する手段をさらに具備し、
前記情報は、識別子、制御情報、または、パス損失報告のうちの少なくとも１つを含む［１３］記載の装置。
［１９］  ユーザ機器（ＵＥ）によるワイヤレス通信のためのコンピュータ実行可能なコードを記憶するコンピュータ読取可能媒体において、
物理ランダムアクセスチャネル（ＰＲＡＣＨ）期間内で割り振られたリソースのセットを決定するためのコードと、
前記決定した割り振られたリソースのセット中でパイロット信号を送信するためのコードとを含むコンピュータ読取可能媒体。
［２０］  ワイヤレスデバイスのためのワイヤレス通信の方法において、
ユーザ機器（ＵＥ）からのデータ送信を受信することと、
前記受信したデータ送信に基づいて、チャネル位相オフセットを決定することと、
前記決定したチャネル位相オフセットに基づいて、タイミングオフセットを決定することと、
肯定応答メッセージを前記ＵＥに送信することとを含み、
前記肯定応答メッセージは、前記決定したタイミングオフセットを含む方法。
［２１］  前記データ送信は、物理ランダムアクセスチャネル（ＰＲＡＣＨ）期間内で割り振られたリソースのセット中で受信される［２０］記載の方法。
［２２］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［２１］記載の方法。
［２３］  前記データ送信は、識別子、制御情報、または、パス損失報告のうちの少なくとも１つをさらに含む請求２２記載の方法。
［２４］  前記チャネル位相オフセットを決定することは、
前記受信したデータ送信に基づいて、第１のチャネル位相オフセットを決定することと、
前記受信したデータ送信に基づいて、第２のチャネル位相オフセットを決定することとを含み、
前記タイミングオフセットを決定することは、前記第１のチャネル位相オフセットと前記第２のチャネル位相オフセットとに基づいて、前記タイミングオフセットを決定することを含む［２０］記載の方法。
［２５］  ワイヤレス通信のための装置において、
メモリと、
前記メモリに結合されている少なくとも１つのプロセッサとを具備し、
前記少なくとも１つのプロセッサは、
ユーザ機器（ＵＥ）からのデータ送信を受信するようにと、
前記受信したデータ送信に基づいて、チャネル位相オフセットを決定するようにと、
前記決定したチャネル位相オフセットに基づいて、タイミングオフセットを決定するようにと、
肯定応答メッセージを前記ＵＥに送信するように構成され、
前記肯定応答メッセージは、前記決定したタイミングオフセットを含む装置。
［２６］  前記データ送信は、物理ランダムアクセスチャネル（ＰＲＡＣＨ）期間内で割り振られたリソースのセット中で受信される［２５］記載の装置。
［２７］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［２６］記載の装置。
［２８］  前記データ送信は、識別子、制御情報、または、パス損失報告のうちの少なくとも１つをさらに含む請求２７記載の装置。
［２９］  前記少なくとも１つのプロセッサは、
前記受信したデータ送信に基づいて、第１のチャネル位相オフセットを決定することと、
前記受信したデータ送信に基づいて、第２のチャネル位相オフセットを決定することとによって、前記チャネル位相オフセットを決定するように構成され、
前記タイミングオフセットを決定することは、前記第１のチャネル位相オフセットと前記第２のチャネル位相オフセットとに基づいて、前記タイミングオフセットを決定することを含む［２５］記載の装置。
［３０］  ワイヤレス通信のための装置において、
ユーザ機器（ＵＥ）からのデータ送信を受信する手段と、
前記受信したデータ送信に基づいて、チャネル位相オフセットを決定する手段と、
前記決定したチャネル位相オフセットに基づいて、タイミングオフセットを決定する手段と、
肯定応答メッセージを前記ＵＥに送信する手段とを具備し、
前記肯定応答メッセージは、前記決定したタイミングオフセットを含む装置。
［３１］  前記データ送信は、物理ランダムアクセスチャネル（ＰＲＡＣＨ）期間内で割り振られたリソースのセット中で受信される［３０］記載の装置。
［３２］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［３１］記載の装置。
［３３］  前記データ送信は、識別子、制御情報、または、パス損失報告のうちの少なくとも１つをさらに含む請求３２記載の装置。
［３４］  前記チャネル位相オフセットを決定する手段は、
前記受信したデータ送信に基づいて、第１のチャネル位相オフセットを決定するようにと、
前記受信したデータ送信に基づいて、第２のチャネル位相オフセットを決定するように構成され、
前記タイミングオフセットを決定することは、前記第１のチャネル位相オフセットと前記第２のチャネル位相オフセットとに基づいて、前記タイミングオフセットを決定することを含む［３０］記載の装置。
［３５］  ワイヤレス通信のためのコンピュータ実行可能なコードを記憶するコンピュータ読取可能媒体において、
ユーザ機器（ＵＥ）からのデータ送信を受信するためのコードと、
前記受信したデータ送信に基づいて、チャネル位相オフセットを決定するためのコードと、
前記決定したチャネル位相オフセットに基づいて、タイミングオフセットを決定するためのコードと、
肯定応答メッセージを前記ＵＥに送信するためのコードとを含み、
前記肯定応答メッセージは、前記決定したタイミングオフセットを含むコンピュータ読取可能媒体。
【図１】
0006469855.tif 000003
【図２】
0006469855.tif 000004
【図３】
0006469855.tif 000005
【図４】
0006469855.tif 000006
【図５】
0006469855.tif 000007
【図６】
0006469855.tif 000008
【図７】
0006469855.tif 000009
【図８】
0006469855.tif 000010
【図９】
0006469855.tif 000011